(57)【要約】【課題】清掃すべき空洞部の中心から内壁面までの距離が異なっていても、当該空洞部を画定する内壁面を清掃することが可能であり、また、当該内壁面に対する押圧力に強弱を付けることができ、当該内壁面の汚れ具合に応じた最適な押圧力で清掃を行うことが可能であると共に、空洞部に対し進退方向に移動させるだけで前記内壁面の清掃を行うことができる清掃具を提供する。【解決手段】芯部材１０と、芯部材１０の外周に沿って取付けられた清掃部２０を備え、清掃部２０は、弾性体からなり、空洞部１０１の開口径よりも大きな径を有すると共に、連続した環状の外面を備えた複数の清掃部材３０と、空洞部１０１の開口径よりも小さな径を有し、清掃部材３０を保持する保持部材４０を備え、清掃部材３０及び保持部材４０は、芯部材１０に、互いに交換可能且つ並べ替え可能に取付けられてなる清掃具１である。【選択図】図４
2007237107.tif 000002
【特許請求の範囲】
【請求項１】
空洞部を画定する内壁面を清掃する清掃具であって、
芯部材と、当該芯部材の外周に沿って取付けられた清掃部と、を備え、
前記清掃部は、
弾性体からなり、前記空洞部の開口径よりも大きな径を有すると共に、連続した環状の外面を備えた複数の清掃部材と、
前記空洞部の開口径よりも小さな径を有し、前記清掃部材を保持する保持部材と、
を備え、
前記清掃部材及び保持部材は、前記芯部材に、互いに交換可能且つ並べ替え可能に取付けられてなる清掃具。
【請求項２】
前記保持部材及び前記清掃部材は、前記空洞部に対する進退方向に略垂直な断面の外形が互いに略相似形である請求項１記載の清掃具。
【発明の詳細な説明】
【技術分野】
【０００１】
本発明は、機械部品、各種設備、各種物品等に形成された空洞部の内壁面を清掃する清掃具に関する。
【背景技術】
【０００２】
従来から、様々な機械部品、各種設備、各種物品等に形成された略円筒形の空洞部の内壁面を清掃するための清掃具が種々知られている。このような清掃具としては、ブラシ部を有し、前記内壁面をこのブラシ部によって清掃するタイプのものが主流であるが、このような従来の清掃具では、前記内壁面をブラシ部で清掃する際に、ブラシ部を構成するブラシ毛の先端と、空洞部の内壁面とが点接触することになるため、当該清掃具を空洞部の軸方向に進退移動させる作業に加え、前記内壁面に対し清掃具を回転させるか、あるいは機械部品等をブラシ部に対して回転させる必要がある。また、点接触により傷が生じる。
【０００３】
また、パイプラインの汚れを取り除くパイプクリーニング装置として、パイプライン内を移動可能であり、カッティングヘッドとして機能すると共に、個々の部材間に枢支ジョイントを有してなる推進要素を備えたものがある。このパイプクリーニング装置には、パイプラインの汚れを取り除くカラーが、各々独立して複数設けられている。（例えば、特許文献１参照）。
【０００４】
そしてまた、被振動体と、この被振動体の外周に植立させたブラシと、当該被振動体に振動を与えるバイブレータとを備えた筒状内面清掃装置も紹介されている。この筒状内面清掃装置では、前記ブラシは、被振動体の外周に植立させたブラシ材と、短筒状をなすスペーサとが交互に複数配設された構成を有し、バイブレータにより各々のブラシ材に振動を与えることで、当該ブラシ材で筒状内面を清掃するものである。（例えば、特許文献２参照）。
【特許文献１】特開昭６０−３４７８２号公報
【特許文献２】特開平５−２９３４５４号公報
【発明の開示】
【発明が解決しようとする課題】
【０００５】
しかしながら、特許文献１に記載されたパイプクリーニング装置は、各々のカラーを互いに交換して組み替えることができる構成を有していない。また、各々のカラーが独立した状態で設けられているため、パイプの径や、パイプの汚れ具合に応じて、当該カラー同士が補い合って、その弾性力や、硬さ等を変更することができない。したがって、清掃可能なパイプの内径に対する許容範囲が小さく、特定の径を有するパイプの清掃に使用されているのが実状である。また、パイプの空洞部の内壁面（内周面）に対する押圧力に強弱を付けることができず、当該内壁面の汚れ具合に応じた最適な力加減で清掃することが困難である。そしてまた各々のカラーには、中心から外周面に亘って複数の切り込みが形成されている。
【０００６】
また、特許文献２に記載された筒状内面清掃装置も同様に、被振動体の外周に植立させたブラシ材及びスペーサの各々が、互いに交換して組み替えることができないため、特許文献１と同様に、特定の径を有するパイプの清掃に使用されると共に、筒状内面対する押圧力に強弱を付けることができない。また、筒状内面をブラシ材によって清掃するため、前述したように、当該筒状内面清掃装置を筒状内面（空洞部）の軸方向に進退移動させる作業に加え、当該筒状内面に対し清掃具を回転させるか、あるいは機械部品等をブラシ部に対して回転させる必要がある。
【０００７】
本発明は、このような事情に鑑みなされたものであり、清掃すべき空洞部の中心から内壁面までの距離が異なっていても、当該空洞部を画定する内壁面を清掃することが可能であり、また、当該内壁面に対する押圧力に強弱を付けることができ、当該内壁面の汚れ具合に応じた最適な押圧力で清掃を行うことが可能であると共に、空洞部に対し進退方向に移動させるだけで前記内壁面の清掃を行うことができる清掃具を提供することを目的とする。
【課題を解決するための手段】
【０００８】
この目的を達成するため、本発明は、空洞部を画定する内壁面を清掃する清掃具であって、芯部材と、当該芯部材の外周に沿って取付けられた清掃部と、を備え、前記清掃部は、弾性体からなり且つ前記空洞部の開口径よりも大きな径を有すると共に、連続した環状の外面を備えた複数の清掃部材と、前記空洞部の開口径よりも小さな径を有し、前記清掃部材を保持する保持部材と、を備え、前記清掃部材及び保持部材は、前記芯部材に、互いに交換可能且つ並べ替え可能に取付けられてなる清掃具を提供するものである。
【０００９】
この構成を備えた清掃具は、清掃部を構成する清掃部材及び保持部材を、芯部材に対し互いに交換可能且つ並べ替え可能に取付けることができる。したがって、例えば、清掃部材と保持部材とを１枚ずつ交互に配設したり、３枚の清掃部材と１枚の保持部材とを交互に配設したり、１枚の清掃部材と３枚の保持部材とを交互に配設する等、清掃部材と保持部材を任意の枚数且つ任意の順番で配設することができる。
【００１０】
ここで、清掃部材と保持部材とを１枚ずつ交互に配設した場合と、３枚の清掃部材と１枚の保持部材とを交互に配設した場合を比較すると、後者の方が、１組の清掃部材の前記空洞部に対する進退方向の長さが長くなる。この時、清掃部材は、弾性体から構成されているため、前記進退方向の長さが長くなると直径方向及び長さ方向に弾性変形し難くなり、空洞部の内壁面に対する押圧力が強くなる。このため、清掃部材と保持部材との配置（並べ方）を選択することで、空洞部の内壁面に対する押圧力の強弱を調整することができると共に、清掃可能な空洞部のサイズに幅を持たせることができる。
【００１１】
さらにまた、前記清掃部材は、前記空洞部の開口径よりも大きな径を有すると共に、連続した環状の外面を備えているため、当該空洞部の内壁面の周方向（空洞部の内周面）に亘って面接触することになる。したがって、清掃部を空洞部の内壁面に対して相対的に回転させることなく、空洞部に対し進退移動させるだけで、当該内壁面を確実に清掃することができる。また、前記保持部材は、前記空洞部の開口径よりも小さな径を有しているため、空洞部の内壁面に接触することがないと共に、前記清掃部材と、当該保持部材を挟んで隣接した清掃部材と、空洞部の内壁面との間に隙間を形成することができる。したがって、清掃部材によって空洞部の内壁面から除去された除去物をこの隙間に保持することができる。したがって、清掃部を空洞部から抜脱することで、この隙間に保持された除去物を簡単に当該空洞部の外部に排出することができる。
【００１２】
なお、本発明でいう断面形状とは、清掃具の進退方向に対し略垂直な断面の包絡線が、円である円筒形の他、当該包絡線が、曲線からなる略三角形状のもの、曲線からなる略四角形状のもの、曲線からなり、それ以上の多角である略多角形状のもの、角部が曲線からなる略三角形状のもの、角部が曲線からなる略四角形状のもの、それ以上の多角である略多角形状のもの等を含むものである。
【発明の効果】
【００１３】
本発明にかかる清掃具は、清掃部材及び保持部材を、芯部材に対し互いに交換可能且つ並べ替え可能に取付けることができるため、清掃部材と保持部材との配置（並べ方）を選択することで、空洞部の内壁面に対する押圧力の強弱を調整することができると共に、清掃可能な空洞部のサイズに幅を持たせることができる。また、前記清掃部材は、前記空洞部の開口径よりも大きな径を有すると共に、連続した環状の外面を備えているため、当該空洞部の内壁面の周方向に亘って面接触することになる結果、清掃部を空洞部の内壁面に対して相対的に回転させることなく、空洞部に対し進退移動させるだけで、当該内壁面を確実に清掃することができる。
【発明を実施するための最良の形態】
【００１４】
次に、本発明の好適な実施の形態にかかる清掃具について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１５】
図１は、本実施の形態にかかる清掃具の側面図であって、一部を断面で表現した図、図２は、図１に示すII−II線に沿った断面図、図３は、図１に示すIII−III線に沿った断面図、図４は、図１に示す清掃具の組立分解斜視図、図５は、本実施の形態にかかる清掃具によって清掃される空洞部を備えた工具ホルダの一部を示す断面図、図６は、図５に示す工具ホルダの空洞部に、本実施の形態にかかる清掃具を挿入した状態を示す断面図、図７及び図８は、図１に示す清掃具の清掃部材及び保持部材を並べ替えた状態の一例を示す断面図である。なお、図４については、説明を判りやすくするため、配設される清掃部材と保持部材の一部を割愛して示している。
【００１６】
なお、本実施の形態では、清掃部が配設される側を「先端側」、使用者が把持する把持部側を「基端側」として説明する。
【００１７】
図１〜図６に示すように本実施の形態にかかる清掃具１は、円筒形の芯部材１０と、芯部材の外周に沿って取付けられた清掃部２０を備えている。
【００１８】
芯部材１０は、その先端側に、清掃部２０を配設するための清掃部配設部１１が形成され、基端側に、使用者が把持する把持部１３が形成されている。清掃部配設部１１は、芯部材１０の基端側よりも小さな径を有する円筒形を有し、この径の差によって形成された段部１４により、清掃部２０の基端側を係止するようになっている。また、この清掃部配設部１１の先端には、後に詳述するナット１５に形成された雌ねじ１６が螺合する雄ねじ１２が形成されている。
【００１９】
清掃部２０は、複数の清掃部材３０と、清掃部材３０を保持する複数の保持部材４０から構成されている。清掃部材３０は弾性部材からなり、略中央部分に円筒形の貫通孔３１が形成されており、工具ホルダ１００（図５及び図６参照）に形成された円筒形の空洞部１０１の開口径（ｄ）よりも大きな径（Ｄ30）を有すると共に、連続した環状の外面を備えた中空の略円盤状を有している。すなわち、この清掃部材３０は、空洞部１０１に対する清掃具１の進退方向（清掃部材３０及び保持部材４０の並設方向）に略垂直な断面の外形（清掃部材３０の外周によって決定される形状）が、径（Ｄ30）である略円形を有している。また、貫通孔３１は、芯部材１０の清掃部配設部１１とほぼ同じ径を有し、清掃部材３０を芯部材１０に配設する際に、清掃部配設部１１が貫通可能となっている。なお、本実施の形態では、清掃部材３０をフェルトから構成した。
【００２０】
一方、保持部材４０は、硬質な部材からなり、その略中央部分に円筒形の貫通孔４１が形成されており、工具ホルダ１００（図５及び図６参照）に形成された円筒形の空洞部１０１の開口径（ｄ）よりも小さな径（Ｄ40）を有すると共に、連続した環状の外面を備えた中空の略円盤状を有している。すなわち、この保持部材４０は、空洞部１０１に対する清掃具１の進退方向に略垂直な断面の外形（保持部材４０の外周によって決定される形状）が、径（Ｄ40）である略円形を有している。したがって、保持部材４０の外形は、清掃部材３０の外形に対し、一様に縮小（Ｄ30＞Ｄ40）された略相似形となっている。また、貫通孔４１は、清掃部配設部１１の径とほぼ同じ径（貫通孔３１と同じサイズ）を有し、保持部材４０を芯部材１０に配設する際に、清掃部配設部１１が貫通可能となっている。
【００２１】
これらの清掃部材３０及び保持部材４０は、芯部材１０の清掃部配設部１１に、互いに交換可能且つ並べ替え可能に取付けられる。その一例としては、特に図４に示すように、先ず、芯部材１０の清掃部配設部１１に、２枚の保持部材４０の貫通孔４１を貫通させ、この２枚の保持部材４０を芯部材１０の段部１４に接触させる。次に、この２枚の保持部材４０が配設された清掃部配設部１１に、５枚の清掃部材３０の貫通孔３１を貫通させ、先に配設された２枚の保持部材４０に接触させる。次いで、この動作を繰り返し、清掃部配設部１１に、２枚の保持部材４０と、５枚の清掃部材３０を、交互に接触させながら配設し、最後に２枚の保持部材４０を配設した後、この最後の２枚の保持部材４０の貫通孔４１から延出した清掃部配設部１１の先端に、ナット１５を螺合させ、清掃部配設部１１に配設された清掃部材３０及び保持部材４０を、芯部材１０の段部１４と、ナット１５の基端面とで、締め付けて固定することで、図１に示す清掃具１（清掃部材３０の重ね枚数５、保持部材の重ね枚数２）が得られる。
【００２２】
この清掃具１は、清掃部２０の空洞部１０１に対する進退方向の長さ（Ｌ1）が、後に詳述する空洞部１０１の奥行き（深さ）（Ｌ100）とほぼ同一となるように設定されている。また、保持部材４０を挟んだ両側に配設された清掃部材３０同士の間には、清掃部材３０と保持部材４０との径の差によって凹溝１８が形成されている。
【００２３】
この清掃具１によって清掃される工具ホルダ１００の空洞部１０１は、特に図５に示すように、開口径（ｄ）、奥行き（Ｌ100）を有する円筒形の内壁面１０２によって画定されている。この内壁面１０２は、清掃具１の進退方向に略垂直な断面形状が、径（ｄ）である略円形を有しており、前述した清掃部材３０の外形（円形）は、一様に拡大（Ｄ30＞ｄ）された略相似形となっている。
【００２４】
この清掃具１を使用して空洞部１０１を画定する内壁面１０２を清掃する際は、空洞部１０１内に、清掃具１の先端を挿入し、そのまま空洞部１０１の奥に向けて清掃部２０を進めればよい。この時、清掃部材３０の径（Ｄ30）は、空洞部１０１の開口径（ｄ）よりも大きいが、清掃部材３０は、その弾性により、内壁面１０２に押圧されて弾性変形するため、内壁面１０２に密着しながら空洞部１０１の奥に向かって進む。ここで、清掃部材３０を保持する保持部材４０は、前述したように、清掃部材３０の外形に対し略相似形である外形を有しているため、内壁面１０２の全周に亘って清掃部材３０が均一な力を付与することができるように、清掃部材３０を保持することができる。また、内壁面１０２も、前述したように、断面形状が清掃部材３０の外形に対し略相似形であるため、清掃部材３０によって内壁面１０２の全周に亘って均一な力（押圧力）を受けることになる。したがって、斑のない清掃を行うことができる。
【００２５】
ここで、清掃部２０を空洞部１０１内に挿入すると、凹溝１８の存在により、内壁面１０２と清掃部２０との間に隙間が形成されるが、清掃部材３０は、前述したように、連続した環状の外面を有しており、この外面が、内壁面１０２の周方向亘って、斑なく密着するため、清掃具１を進退方向に移動させるだけで、内壁面１０２を確実に清掃することができる。また、清掃部材３０によって内壁面１０２から除去された汚れ等の除去物は、凹溝１８に保持される（残留する）ため、清掃部２０を空洞部１０１から抜脱すれば、この凹溝１８に保持された除去物を簡単に当該空洞部の外部に排出することができる。
【００２６】
また、清掃具１は、ナット１５を緩めて取外すことで、清掃部材３０及び保持部材４０を芯部材１０から簡単に抜脱することができ、清掃部材３０及び保持部材４０を交換したり、並べ替えたりすることができる。したがって、例えば、内壁面１０２の汚れが軽い汚れであり、内壁面１０２に対する押圧力を小さくさせたい場合は、例えば、図７や図８に示すように、清掃部材３０の重ね枚数が少なくなるように清掃部材３０と保持部材４０を並べ替えればよい。
【００２７】
図７は、１枚の清掃部材３０と、１枚の保持部材４０を交互に配設したものであるが、このように配設した場合、１枚、１枚が独立して配設された清掃部材３０（重ね枚数１）は、図１に示すように５枚の清掃部材３０を１組として配設した場合（重ね枚数５）に比べ、弾性変形し易くなるため、内壁面１０２に対する押圧力を図１に示す場合よりも小さくすることができる。
【００２８】
図８は、２枚の清掃部材３０と、２枚の保持部材４０を交互に配設したものであるが、このように配設した場合、１枚、１枚が独立して配設された清掃部材３０（図７参照）よりも、２枚の清掃部材３０を１組として配設した場合（重ね枚数２：図８参照）の方が、弾性変形し難くなるため、内壁面１０２に対する押圧力が図７に示す場合よりも大きくなる。また、図８に示すように、２枚の清掃部材３０を１組として配設したものは、図１に示すように５枚の清掃部材３０を１組として配設した場合に比べ、弾性変形し易くなるため、内壁面１０２に対する押圧力を図１に示す場合よりも小さくすることができる。
【００２９】
なお、図１に示す場合よりも内壁面１０２に対する押圧力を大きくしたい場合は、５枚以上の清掃部材３０を１組として配設すればよい。
【００３０】
このように、清掃部材３０及び保持部材４０の配設枚数を調整することで、内壁面１０２に対する押圧力に強弱を付けることができ、内壁面１０２の汚れ具合に応じた最適な押圧力で清掃を行うことができる。
【００３１】
また、清掃部材３０は、弾性部材からなるため、円筒形以外の形状を有する内壁面であっても適切に清掃することができる。なお、この場合、清掃部材３０の外形が、空洞部を画定する内壁面の外周形状に対応した形状、すなわち、互いに略相似形であれば、さらに良好な清掃を行うことができる。また、清掃すべき内壁面の形状（空洞部の形状）や、清掃部材の外形に応じて、清掃部材を構成する弾性部材の弾性も変更し、さらに適切な清掃が行えるようにしてもよい。
【００３２】
そしてまた、本発明にかかる清掃具１は、空洞部１０１に対し進退方向に移動させるだけで、空洞部１０１の内壁面１０２の清掃を確実に行うことができるが、清掃具１を空洞部１０１に対し芯部材１０を軸芯として回転させてもよいことは勿論である。
【００３３】
なお、本実施の形態では、清掃部材３０を構成する弾性部材として、フェルトを使用した場合について説明したが、これに限らず、スポンジや、織布等、清掃部材３０を構成した際に、清掃部材３０に弾性を持たせることができると共に、空洞部１０１の内壁面１０２に付着した汚れを除去可能な素材であれば、素材は特に限定されるものではない。
【００３４】
また、本実施の形態では、空洞部１０１の奥行き（Ｌ100）とほぼ同一の長さとなるように、清掃部２０の空洞部１０１に対する進退方向の長さ（Ｌ1）を設定した場合について説明したが、これに限らず、清掃部２０の長さ（Ｌ1）は、所望により決定することができる。
【００３５】
また、清掃部材３０の配設数は、任意により決定することができる。
【００３６】
また、本実施の形態では、芯部材１０の先端に雄ねじ１２を形成し、この雄ねじ１２にナット１５に形成された雌ねじ１６を螺合させることで、清掃部材３０及び保持部材４０を芯部材１０の清掃部配設部１１に固定した場合について説明したが、これに限らず、例えば、図９に示すように、芯部材１０の構成要素である清掃部配設部１１をボルトから構成し、把持部１３の先端に、清掃部配設部１１（ボルト）の基端側に形成された雄ねじ４１に螺合する雌ねじ４２を形成してもよい。この場合、清掃部配設部１１（ボルト）の基端側（雄ねじ４１が形成されている側）から、前述した実施の形態と同様に保持部材４０及び清掃部材３０を所望数挿入した後、ボルト４５を挿入し、清掃部配設部１１（ボルト）に形成された雄ねじ４１を把持部１３に形成された雌ねじ４２に螺合させることで、清掃部材３０及び保持部材４０を固定する。なお、この場合、清掃部配設部１１（ボルト）の頭４３の基端面４４が、前述した段部１４の機能を果たすことになる。
【００３７】
また、図１０に示すように、清掃部配設部１１の先端にボルト５１に形成された雄ねじ５２が螺合する雌ねじ５２を形成し、ナット１５の代わりに、ボルト５１によって、清掃部材３０及び保持部材４０を芯部材１０の清掃部配設部１１に固定してもよい。
【００３８】
そしてまた、使用者が把持する把持部１３の形状は、所望により適宜変更することができる。
【図面の簡単な説明】
【００３９】
【図１】本発明の実施の形態にかかる清掃具の側面図であって、一部を断面で表現した図である。
【図２】図１に示すII−II線に沿った断面図である。
【図３】図１に示すIII−III線に沿った断面図である。
【図４】図１に示す清掃具の組立分解斜視図である。
【図５】本実施の形態にかかる清掃具によって清掃される空洞部を備えた工具ホルダの一部を示す断面図である。
【図６】図５に示す工具ホルダの空洞部に、本実施の形態にかかる清掃具を挿入した状態を示す断面図である。
【図７】図１に示す清掃具の清掃部材及び保持部材を並べ替えた状態を示す一部断面図である。
【図８】図１に示す清掃具の清掃部材及び保持部材を並べ替えた状態を示す一部断面図である。
【図９】本発明の他の実施の形態にかかる清掃具の一部を示す断面図である。
【図１０】本発明の他の実施の形態にかかる清掃具の一部を示す断面図である。
【符号の説明】
【００４０】
１    清掃具
１０    芯部材
１１    清掃部配設部
１３    把持部
１８    凹溝
２０    清掃部
３０    清掃部材
４０    保持部材
１００    工具ホルダ
１０１    空洞部
１０２    内壁面
【図１】
2007237107.tif 000003
【図２】
2007237107.tif 000004
【図３】
2007237107.tif 000005
【図４】
2007237107.tif 000006
【図５】
2007237107.tif 000007
【図６】
2007237107.tif 000008
【図７】
2007237107.tif 000009
【図８】
2007237107.tif 000010
【図９】
2007237107.tif 000011
【図１０】
2007237107.tif 000012